(57)【要約】【課題】イニシャルコスト及びランニングコストが低く、強風により屋根上であおられるおそれがなく、屋根上の水ないし氷による影響を受けることなく常に屋根上の雪を容易、かつ、確実に軒下に落とすことができる安全な屋根用雪下し装置を提供する。【解決手段】屋根１における屋根材３の上面にシート材５を密着させ、屋根の軒先７の近傍には第一ロール９を該軒先と平行に回転自在に配設し、屋根の棟１１の近傍には第二ロール１３を該第一ロールと平行に回転自在に配設し、該第一ロールと該第二ロールとの間には環状網体１５を巻き掛け、該第一ロールを該環状網体における上側部１５’が該第二ロールから該第一ロールに向かう方向に回転させることにより屋根上の雪を落下させるようにした屋根用雪下し装置。【選択図】図１
0003197243.tif 000002
【実用新案登録請求の範囲】
【請求項１】
屋根における屋根材の上面にシート材を密着させ、屋根の軒先の近傍には第一ロールを該軒先と平行に回転自在に配設し、屋根の棟の近傍には第二ロールを該第一ロールと平行に回転自在に配設し、該第一ロールと該第二ロールとの間には環状網体を巻き掛け、該第一ロールを該環状網体における上側部が該第二ロールから該第一ロールに向かう方向に回転させることにより屋根上の雪を落下させるようにしたことを特徴とする屋根用雪下し装置。
【請求項２】
前記第一ロールはそれぞれ各別に回転する複数の第一小ロールよりなり、前記第二ロールはそれぞれ各別に回転する複数の第二小ロールよりなり、前記環状網体は複数の環状小網体よりなり、各第一小ロールと当該各第一小ロールに対応する各第二小ロールとの間には環状小網体をそれぞれ巻き掛け、各第一小ロールを該環状小網体における上側部が該第二小ロールから該第一小ロールに向かう方向にそれぞれ回転させることにより屋根上の雪を落下させるようにしたことを特徴とする請求項１に記載の屋根用雪下し装置。
【考案の詳細な説明】
【技術分野】
【０００１】
本考案は、屋根用雪下し装置に関するものである。
【背景技術】
【０００２】
屋根上に積もった雪を軒下に落とす作業は、多大の労力を要するのみならず、作業者等の生命、身体に危険を及ぼすおそれもある。
【０００３】
そこで、屋根の棟にパイプを配設し、該パイプより熱湯を流下させるようにした装置、屋根上に電熱マット等の加熱手段を配設してなる装置等（以下「従来の加熱式落雪装置」という。）が従来より知られている。
【０００４】
一方、屋根上にシート材を引き降ろし可能に配設し、該シート材上に雪が降り積もったときには該シート材を屋根から引き降ろすことにより雪を屋根から落下させるようにしたもの（以下「従来のシート材による落雪装置」という。）も知られている。
【考案の概要】
【考案が解決しようとする課題】
【０００５】
しかるに、従来の加熱式落雪装置は、イニシャルコストのみならず、燃料費、電気料、メンテナンス費用等のランニングコストが嵩むという問題がある。
【０００６】
従来のシート材による落雪装置においては、該シート材は屋根上に引き降ろし可能に配設されるものであり、屋根上に密着させるものではないため、該シート上に雪が積もっていないときには、該シート材が強風にあおられて屋根上で「バタバタ」と音を立てるおそれがある。また、シート材と屋根材との間に水が存在しているときには、雪が積もっているシート材が屋根材に張り付き、該シート材を引いて動かす作業が困難を極めるおそれがある。更に、シート材と屋根材との間の水が凍っている場合には、該シート材を引き下げることが不可能になるおそれもある。加えて、シート材上に積もった雪が該シート材から自然に滑り落ち、軒下近傍の人に危害を及ぼすおそれもある。
【０００７】
本考案は、上記従来の加熱式落雪装置及び従来のシート材による落雪装置における上述の如き問題を解決し、イニシャルコスト及びランニングコストが低く、強風により屋根上であおられるおそれがなく、屋根上の水ないし氷による影響を受けることなく常に屋根上の雪を容易、かつ、確実に軒下に落とすことができる安全な屋根用雪下し装置を提供しようとしてなされたものである。
【課題を解決するための手段】
【０００８】
上記課題を解決するために、本考案は、下記の屋根用雪下し装置を提供するものである。
【０００９】
（１）屋根における屋根材の上面にシート材を密着させ、屋根の軒先の近傍には第一ロールを該軒先と平行に回転自在に配設し、屋根の棟の近傍には第二ロールを該第一ロールと平行に回転自在に配設し、該第一ロールと該第二ロールとの間には環状網体を巻き掛け、該第一ロールを該環状網体における上側部が該第二ロールから該第一ロールに向かう方向に回転させることにより屋根上の雪を落下させるようにしたことを特徴とする屋根用雪下し装置（請求項１）。
【００１０】
（２）前記第一ロールはそれぞれ各別に回転する複数の第一小ロールよりなり、前記第二ロールはそれぞれ各別に回転する複数の第二小ロールよりなり、前記環状網体は複数の環状小網体よりなり、各第一小ロールと当該各第一小ロールに対応する各第二小ロールとの間には環状小網体をそれぞれ巻き掛け、各第一小ロールを該環状小網体における上側部が該第二小ロールから該第一小ロールに向かう方向にそれぞれ回転させることにより屋根上の雪を落下させる（請求項２）。
【考案の効果】
【００１１】
[請求項１の考案]
請求項１の考案による屋根用雪下し装置は、熱を用いるものではないため、燃料費、電気料等の費用は不要である。
【００１２】
第一ロールと第二ロールとの間に環状網体を巻き掛けているが、屋根における屋根材の上面にシート材を密着させているため、該環状網体が移動する際に屋根材に引っ掛かるおそれはない。該シート材は屋根における屋根材の上面に密着させているため、該シート材が強風にあおられて屋根上で「バタバタ」と音を立てるおそれはない。
【００１３】
第一ロールと第二ロールとの間に巻き掛けられるものは環状網体であるため、該環状網体の下側に水ないし氷が存在しても、該環状網体は支障なく動く。
【００１４】
更に、第一ロールと第二ロールとの間には、シート材ではなく、環状網体を巻き掛けており、該環状網体における上側部が第二ロールから第一ロールに向かう方向に回転しない限り、屋根上の雪が落下することがない。すなわち、屋根上の雪は環状網体により滑り落ちることが防止される。したがって、屋根上の雪が突然に落下することにより、軒下近傍の人に危害を及ぼすおそれはない。
【００１５】
[請求項２の考案]
前記第一ロールはそれぞれ各別に回転する複数の第一小ロールよりなり、前記第二ロールはそれぞれ各別に回転する複数の第二小ロールよりなり、前記環状網体は複数の環状小網体よりなり、各第一小ロールと当該各第一小ロールに対応する各第二小ロールとの間には環状小網体をそれぞれ巻き掛け、各第一小ロールを該環状小網体における上側部が該第二小ロールから該第一小ロールに向かう方向にそれぞれ回転させることにより屋根上の雪を落下させるようにしたため、屋根の軒方向の長さ及び／又は軒から棟方向の奥行が大きい場合にも支障なく雪下しを行うことができる。
【図面の簡単な説明】
【００１６】
【図１】図１は、本考案による屋根用雪下し装置の一例を示す側面図である。
【図２】図２は、同上屋根用雪下し装置の正面図である。
【図３】図３は、同上屋根用雪下し装置における第一ロールの回転手段の一例を概略的に示す正面図である。
【図４】図４は、同上回転手段の一部を概略的に示す側面図である。
【図５】図５は、第一ロールの回転手段の一例を示す断面図である。
【図６】図６は、本考案による屋根用雪下し装置の別の一例を示す正面図である。
【図７】図７は、第二ロールの一例を示す正面図である。
【図８】図８は、環状網体の一例を部分的に示す平面図である。
【考案を実施するための形態】
【００１７】
符号１に示すものは建物の屋根である。屋根１の屋根材３は、瓦、スレート、金属板等いかなるものであってもよい。屋根材３の上面にはシート材５を密着させる。シート材５は、一例としてポリエチレン等の合成樹脂製のシートとする。
【００１８】
屋根１の軒先７の近傍には第一ロール９を該軒先７と平行に回転自在に配設し、屋根１の棟１１の近傍には第二ロール１３を第一ロール９と平行に回転自在に配設する。第一ロール９と第二ロール１３との間には環状網体１５を巻き掛け、第一ロール９を該環状網体１５における上側部１５’が第二ロール１３から第一ロール９に向かう方向に回転させることにより屋根１上の雪１７を落下させるようにする。
【００１９】
図２、図３、図５、図６に示す事例においては、前記第一ロール９はそれぞれ各別に回転する複数の第一小ロール９ａ、９ｂ、９ｃ・・・よりなり、前記第二ロール１３はそれぞれ各別に回転する複数の第二小ロール１３ａ、１３ｂ、１３ｃ・・・よりなり、前記環状網体１５は複数の環状小網体１５ａ、１５ｂ、１５ｃ・・・よりなり、各第一小ロール９ａ、９ｂ、９ｃ・・・と当該各第一小ロール９ａ、９ｂ、９ｃ・・・に対応する各第二小ロール１３ａ、１３ｂ、１３ｃ・・・との間には環状小網体１５ａ、１５ｂ、１５ｃ・・・をそれぞれ巻き掛け、各第一小ロール９ａ、９ｂ、９ｃ・・・を該環状小網体１５ａ、１５ｂ、１５ｃ・・・における上側部１５ａ’、１５ｂ’、１５ｃ’・・・が該第二小ロール１３ａ、１３ｂ、１３ｃ・・・から該第一小ロール９ａ、９ｂ、９ｃ・・・に向かう方向にそれぞれ回転させることにより屋根１上の雪を落下させるようにする。
【００２０】
図６に示す事例においては、各第一小ロール９ａ、９ｂ、９ｃ・・・をチェーン１９ａ、１９ｂ、１９ｃ・・・等の伝動手段を介して回転輪２１ａ、２１ｂ、２１ｃ・・・に連結し、該回転輪２１ａ、２１ｂ、２１ｃ・・・を人力で回転させることにより各第一小ロール９ａ、９ｂ、９ｃ・・・を回転させるようにしている。
【００２１】
図１〜図５に示す事例においては、各第一小ロール９ａ、９ｂ、９ｃ・・・を人力で回転させるための別の手段の一例を示す。
この事例においては、各第一小ロール９ａ、９ｂ、９ｃ・・・と、当該各第一小ロール９ａ、９ｂ、９ｃ・・・に対応する歯車２３ａ、２３ｂ、２３ｃ・・・とをそれぞれ同心状に配設し、各歯車２３ａ、２３ｂ、２３ｃ・・・の回転が伝動手段２５ａ、２５ｂ、２５ｃ・・・を介して各第一小ロール９ａ、９ｂ、９ｃ・・・に各別に伝えられるようにする。すなわち、例えば、歯車２３ａが回転すると伝動手段２５ａを介して第一小ロール９ａが回転し、歯車２３ｂが回転すると伝動手段２５ｂを介して第一小ロール９ｂが回転し、歯車２３ｃが回転すると伝動手段２５ｃを介して第一小ロール９ｃが回転するようになす。
【００２２】
更に、歯車２３ａ、２３ｂ、２３ｃ・・・の下方には該歯車２３ａ、２３ｂ、２３ｃ・・・の一つに選択的に歯合する駆動歯車２７を該歯車２３ａ、２３ｂ、２３ｃ・・・と平行に配設する。すなわち、駆動歯車２７は、該歯車２３ａ、２３ｂ、２３ｃ・・・と平行な駆動歯車軸２９に沿って移動し、該歯車２３ａ、２３ｂ、２３ｃ・・・の一つに選択的に歯合する。駆動歯車軸２９は、駆動歯車２７が歯車２３ａ、２３ｂ、２３ｃ・・・の一つに選択的に歯合し易くするために、上下動可能にしてもよい。
【００２３】
図３においては、駆動歯車２７を駆動歯車軸２９に沿って移動させるために、一例として、駆動歯車軸２９と平行な案内手段３１に沿って往復動自在の基部３３に該駆動歯車２７を取り付け、該基部３３に引張ロープ３５を取り付け、該引張ロープ３５を引くことにより駆動歯車２７を駆動歯車軸２９に沿って移動させる。符号３７，３９、４１、４３に示すものはプーリ―である。なお、符号４１ａ、４１ｂ、４１ｃ、４１ｄ、４１ｅに示すものは、駆動歯車２９の位置を示す表示体である。
【００２４】
駆動歯車２７は、チェーン４３等の伝動手段を介して回転輪４５に連結し、該回転輪４５を人力で回転させることにより駆動歯車２７を回転させる。
【００２５】
なお、環状網体１５の構成ロープの太さ、網目の寸法等は屋根１の傾斜、屋根１の軒方向の長さ、軒から棟方向の奥行等により異なる。
【符号の説明】
【００２６】
１  屋根
３  屋根材
５  シート材
７  軒先
９  第一ロール
９ａ  第一小ロール
９ｂ  第一小ロール
９ｃ  第一小ロール
１１  棟
１３  第二ロール
１３ａ  第二小ロール
１３ｂ  第二小ロール
１３ｃ  第二小ロール
１５  環状網体
１５’  上側部
１５ａ  環状小網体
１５ｂ  環状小網体
１５ｃ  環状小網体
１５ａ’  上側部
１５ｂ’  上側部
１５ｃ’  上側部
１７  雪
１９ａ  チェーン
１９ｂ  チェーン
１９ｃ  チェーン
２１ａ  回転輪
２１ｂ  回転輪
２１ｃ  回転輪
２３ａ  歯車
２３ｂ  歯車
２３ｃ  歯車
２５ａ  伝動手段
２５ｂ  伝動手段
２５ｃ  伝動手段
２７  駆動歯車
２９  駆動歯車軸
３１  案内手段
３３  基部
３５  引張ロープ
３７  プーリ―
３９  プーリ―
４１  プーリ―
４３  プーリ―
４１ａ  表示体
４１ｂ  表示体
４１ｃ  表示体
４１ｄ  表示体
４１ｅ  表示体
４３  チェーン
４５  回転輪
【図１】
0003197243.tif 000003
【図２】
0003197243.tif 000004
【図３】
0003197243.tif 000005
【図４】
0003197243.tif 000006
【図５】
0003197243.tif 000007
【図６】
0003197243.tif 000008
【図７】
0003197243.tif 000009
【図８】
0003197243.tif 000010